(57)【要約】【課題】温度検知感度を大幅に向上させるためには、記録素子の直下に絶縁膜を介して配置した温度検知素子と記録素子との距離をできるだけ短くすることが望ましいが、記録素子と温度検知素子の距離が層間絶縁膜の厚さで制限されてしまう。【解決手段】配線層と記録素子の層の中間層に温度検知素子を設けた多層構造の素子基板において、第１の層間絶縁膜の上に形成された温度検知素子と配線層を第１の層間絶縁膜を貫通した第１の導体プラグで接続する。また、第１の層間絶縁膜の上に形成された第２の層間絶縁膜の上に形成された記録素子と配線層を第１の層間絶縁膜と第２の層間絶縁膜２とを貫通した第２の導体プラグ２で接続する。このような構成で素子基板を製造することにより、記録素子と温度検知素子との間の層間絶縁膜の厚さを薄く形成することができ、温度検知素子の感度を向上させることができる。【選択図】  図４
2019072999.tif 000002
【特許請求の範囲】
【請求項１】
多層構造の素子基板であって、
基体と、
前記基体の表面の側に形成された配線層と、
前記配線層を覆う第１の層間絶縁膜と、
前記第１の層間絶縁膜の表面に形成された温度検知素子と、
前記第１の層間絶縁膜を貫通し、前記温度検知素子と前記配線層のうちの温度検知素子用の配線とを電気的に接続する第１の電気接続部材と、
前記温度検知素子の表面及び前記第１の層間絶縁膜の前記表面に形成された第２の層間絶縁膜と、
前記基体の前記表面に直交する方向から見て少なくとも一部が前記温度検知素子と重なる位置に配置され、前記第２の層間絶縁膜の表面に形成された電気熱変換素子と、
少なくとも前記第２の層間絶縁膜を貫通し、前記電気熱変換素子と前記配線層のうちの電気熱変換素子用の配線とを電気的に接続する第２の電気接続部材とを有することを特徴とする素子基板。
【請求項２】
前記第１の電気接続部材は第１のプラグであり、
前記第２の電気接続部材は、前記第１の層間絶縁膜と前記第２の層間絶縁膜とを貫通する第２のプラグであることを特徴とする請求項１に記載の素子基板。
【請求項３】
前記第１の電気接続部材は、前記直交する方向から見て前記電気熱変換素子と重ならない領域に配置されていることを特徴とする請求項１又は２に記載の素子基板。
【請求項４】
前記第１の電気接続部材と前記第２の電気接続部材は、前記直交する方向から見て前記電気熱変換素子と前記温度検知素子とが重ならない領域に配置されていることを特徴とする請求項１乃至３のいずれか１項に記載の素子基板。
【請求項５】
少なくとも一対の前記第１の電気接続部材と、
少なくとも一対の前記第２の電気接続部材とを有し、
前記少なくとも一対の第２の電気接続部材の一方は、前記電気熱変換素子の第１の方向における一端部に接続され、前記少なくとも一対の第２の電気接続部材の他方は前記第１の方向における前記電気熱変換素子の他端部に接続され、
前記少なくとも一対の第１の電気接続部材は、前記第１の方向と交差する第２の方向に互いに離れて配置されていることを特徴とする請求項１乃至４のいずれか１項に記載の素子基板。
【請求項６】
前記第１のプラグを複数、前記第２のプラグを複数、設け、
複数の前記第１のプラグを配列する方向と複数の前記第２のプラグを配列する方向とは互いに交差することを特徴とする請求項２に記載の素子基板。
【請求項７】
前記温度検知素子は、蛇行形状をしていることを特徴とする請求項１乃至６のいずれか１項に記載の素子基板。
【請求項８】
前記第２の層間絶縁膜の厚さは、前記第１の層間絶縁膜の厚さより薄いことを特徴とする請求項１乃至７のいずれか１項に記載の素子基板。
【請求項９】
前記第２の層間絶縁膜のうちの、前記温度検知素子の上に位置する部位の厚さは、０．２μｍ以上０．５μｍ以下であることを特徴とする請求項１乃至８のいずれか１項に記載の素子基板。
【請求項１０】
前記第２の層間絶縁膜のうちの、前記温度検知素子の上に位置する部位の厚さは、０．４μｍ以下であることを特徴とする請求項１乃至９のいずれか１項に記載の素子基板。
【請求項１１】
前記直交する方向から見て前記電気熱変換素子及び前記温度検知素子の少なくとも一部と重なる位置に配置され、前記第１の層間絶縁膜に覆われた金属層をさらに有し、
前記第２の層間絶縁膜のうちの、前記温度検知素子の上に位置する部位の厚みは、前記第１の層間絶縁膜のうちの、前記金属層の上に位置する部位の厚みよりも薄いことを特徴とする請求項１乃至１０のいずれか１項に記載の素子基板。
【請求項１２】
前記金属層の前記第１の層間絶縁膜が設けられる面の裏面と接し、前記基体の前記表面へ向かって延在するプラグを有すること請求項１１に記載の素子基板。
【請求項１３】
前記第１の層間絶縁膜の前記表面と前記第２の層間絶縁膜の前記表面とは平坦化されていることを特徴とする請求項１乃至１２のいずれか１項に記載の素子基板。
【請求項１４】
前記電気熱変換素子を覆う被覆膜を有することを特徴とする請求項１乃至１３のいずれか１項に記載の素子基板。
【請求項１５】
多層構造の素子基板の製造方法であって、
表面の側に配線層が形成された基体に対して、前記配線層を覆う第１の層間絶縁膜を形成する工程と、
前記第１の層間絶縁膜に前記配線層に達する第１のビアホールを形成する工程と、
前記第１のビアホールを金属の材料で埋め、前記第１の層間絶縁膜の表面を平坦化して、第１の電気接続部材を形成する工程と、
前記第１の電気接続部材を含む前記第１の層間絶縁膜の前記表面の領域に温度検知素子を形成する工程と、
前記第１の層間絶縁膜の前記表面及び前記温度検知素子の表面に第２の層間絶縁膜を形成する工程と、
前記第２の層間絶縁膜の表面に電気熱変換素子を形成する工程とを有することを特徴とする素子基板の製造方法。
【請求項１６】
前記第１のビアホールとは異なる位置に、前記第１の層間絶縁膜と前記第２の層間絶縁膜を貫通し、前記配線層に達する第２のビアホールを形成する工程と、
前記第２のビアホールを金属の材料で埋め、前記第２の層間絶縁膜の表面を平坦化して、第２の電気接続部材を形成する工程とをさらに有し、
前記電気熱変換素子の形成する工程では、前記第２の電気接続部材を含む前記第２の層間絶縁膜の前記表面の領域に前記電気熱変換素子を形成することを特徴とする請求項１５に記載の素子基板の製造方法。
【請求項１７】
前記第１の電気接続部材は第１のプラグであり、
前記第２の電気接続部材は第２のプラグであることを特徴とする請求項１６に記載の素子基板の製造方法。
【請求項１８】
請求項１乃至１４のいずれか１項に記載の素子基板を用い、前記電気熱変換素子を記録素子として用い、該記録素子によりインクに熱エネルギーを与えてインクを吐出する記録ヘッドであって、
前記記録素子の近傍に備えられ、インクを吐出する吐出口と、
前記記録素子にインクを供給する供給口と、
前記供給口と前記吐出口に連通し、前記記録素子の発熱によりインクが発泡する圧力室とを有することを特徴とする記録ヘッド。
【請求項１９】
前記記録ヘッドは、前記素子基板が複数配置されているラインヘッドであることを特徴とする請求項１８に記載の記録ヘッド。
【請求項２０】
請求項１８又は１９に記載の記録ヘッドを用いて、インクを記録媒体に吐出して画像を記録する記録装置。
【請求項２１】
多層構造の素子基板であって、
基体と、
前記基体の表面の側に形成された配線層と、
前記配線層を覆う第１の層間絶縁膜と、
前記第１の層間絶縁膜の表面に形成された温度検知素子と、
前記第１の層間絶縁膜を貫通し、前記温度検知素子と前記配線層のうちの温度検知素子用の配線とを電気的に接続する第１の電気接続部材と、
前記温度検知素子の表面及び前記第１の層間絶縁膜の前記表面に形成され、前記第１の層間絶縁膜よりも薄い第２の層間絶縁膜と、
前記第２の層間絶縁膜の表面に形成された電気熱変換素子と、
少なくとも前記第２の層間絶縁膜を貫通し、前記電気熱変換素子と前記配線層のうちの電気熱変換素子用の配線とを電気的に接続する第２の電気接続部材とを有することを特徴とする素子基板。
【請求項２２】
前記第１の電気接続部材は第１のプラグであり、
前記第２の電気接続部材は前記第１の層間絶縁膜と前記第２の層間絶縁膜とを貫通する第２のプラグであることを特徴とする請求項２１に記載の素子基板。
【請求項２３】
前記第２の層間絶縁膜のうちの、前記温度検知素子の上に位置する部位の厚さは、０．２μｍ以上０．５μｍ以下であることを特徴とする請求項２１又は２２に記載の素子基板。
【発明の詳細な説明】
【技術分野】
【０００１】
本発明は素子基板、記録ヘッド、記録装置、及び素子基板の製造方法に関し、特に、例えば、温度検出素子を内蔵した素子基板を組み込んだ記録ヘッドをインクジェット方式に従って記録を行うために適用した記録装置に関する。
【背景技術】
【０００２】
インクジェット記録ヘッドは、より高画質、より高速記録を求めて、記録素子とノズルの高密度化及び多数のノズルを配列する構成へと変化している。特に近年になって、記録用紙のような記録媒体の幅に渡って素子基板を複数配置したフルライン記録ヘッドが多数、提案されてきている。
【０００３】
一方、ノズル数の増加に伴い、ノズルの目詰まりやインク供給経路内に混入した気泡やノズル表面の濡れ等により、一部のノズルでインクの吐出不良が発生する確率が高くなる。そこで、吐出不良を発生したノズルを特定して画像の補完記録や記録ヘッドの回復処理にフィードバックさせる技術がより重要となっている。特許文献１、特許文献２では、記録素子各々に絶縁膜を介し薄膜抵抗体で形成される温度検知素子を設け、ノズル毎の温度情報を検出して温度変化から吐出不良のノズルを特定する構成を開示している。これにより、画像の補完記録や記録ヘッドの回復処理にフィードバックさせる技術が提案されている。
【先行技術文献】
【特許文献】
【０００４】
【特許文献１】特開２００８−０２３９８７号公報
【特許文献２】特開２０１２−２５０５１１号公報
【発明の概要】
【発明が解決しようとする課題】
【０００５】
特許文献２は検知し易くするために温度変化を強調する駆動パルスを印加して吐出検査する方法を開示している。このような駆動方法も有効ではあるが、温度変化を検知する感度を大幅に向上させるには、記録素子の直下に絶縁膜を介して温度検知素子を配置した構造とし、記録素子と温度検知素子の距離をできるだけ近づけることが望ましい。特許文献２で開示されているインクジェット記録ヘッド基板を例にとると、ヒータと温度検知素子との間の層間絶縁膜を薄くできればよい。
【０００６】
しかしながら、層間絶縁膜は、配線と別の配線と間の電気絶縁性と配線そのもののカバレッジを確保する厚さが必要とされる。また、特許文献２に記載のような構成であると、層間絶縁膜は、温度検知素子に接続される厚膜の配線に起因する段差部分のカバレッジを確保する厚さが必要とされる。このため、記録素子と温度検知素子の距離は、配線層間の絶縁膜の厚さに制限されてしまう。
【０００７】
本発明は上記従来例に鑑みてなされたもので、電気熱変換素子と温度検知素子との間の層間絶縁膜の厚さを薄く形成し、温度検出の感度を向上させることが可能な素子基板、記録ヘッド、記録装置、及び、その素子基板の製造方法を提供することを目的とする。
【課題を解決するための手段】
【０００８】
上記目的を達成するために本発明の素子基板は次のような構成からなる。
【０００９】
即ち、多層構造の素子基板であって、基体と、前記基体の表面の側に形成された配線層と、前記配線層を覆う第１の層間絶縁膜と、前記第１の層間絶縁膜の表面に形成された温度検知素子と、前記第１の層間絶縁膜を貫通し、前記温度検知素子と前記配線層のうちの温度検知素子用の配線とを電気的に接続する第１の電気接続部材と、前記温度検知素子の表面及び前記第１の層間絶縁膜の前記表面に形成された第２の層間絶縁膜と、前記基体の前記表面に直交する方向から見て少なくとも一部が前記温度検知素子と重なる位置に配置され、前記第２の層間絶縁膜の表面に形成された電気熱変換素子と、少なくとも前記第２の層間絶縁膜を貫通し、前記電気熱変換素子と前記配線層のうちの電気熱変換素子用の配線とを電気的に接続する第２の電気接続部材とを有することを特徴とする。
【００１０】
また本発明を別の側面から見れば、多層構造の素子基板の製造方法であって、表面の側に配線層が形成された基体に対して、前記配線層を覆う第１の層間絶縁膜を形成する工程と、前記第１の層間絶縁膜に前記配線層に達する第１のビアホールを形成する工程と、前記第１のビアホールを金属の材料で埋め、前記第１の層間絶縁膜の表面を平坦化して、第１の電気接続部材を形成する工程と、前記第１の電気接続部材を含む前記第１の層間絶縁膜の前記表面の領域に温度検知素子を形成する工程と、前記第１の層間絶縁膜の前記表面及び前記温度検知素子の表面に第２の層間絶縁膜を形成する工程と、前記第２の層間絶縁膜の表面に電気熱変換素子を形成する工程とを有することを特徴とする素子基板の製造方法を備える。
【００１１】
さらに本発明を別の側面から見れば、上記構成の素子基板を用い、前記電気熱変換素子を記録素子として用い、該記録素子によりインクに熱エネルギーを与えてインクを吐出する記録ヘッドであって、前記記録素子の近傍に備えられ、インクを吐出する吐出口と、前記記録素子にインクを供給する供給口と、前記供給口と前記吐出口に連通し、前記記録素子の発熱によりインクが発泡する圧力室とを有することを特徴とする記録ヘッドを備える。
【００１２】
またさらに本発明を別の側面から見れば、上記構成の記録ヘッドを用いて、インクを記録媒体に吐出して画像を記録する記録装置を備える。
【００１３】
またさらに本発明を別の側面から見れば、多層構造の素子基板であって、基体と、前記基体の表面の側に形成された配線層と、前記配線層を覆う第１の層間絶縁膜と、前記第１の層間絶縁膜の表面に形成された温度検知素子と、前記第１の層間絶縁膜を貫通し、前記温度検知素子と前記配線層のうちの温度検知素子用の配線とを電気的に接続する第１の電気接続部材と、前記温度検知素子の表面及び前記第１の層間絶縁膜の前記表面に形成され、前記第１の層間絶縁膜よりも薄い第２の層間絶縁膜と、前記第２の層間絶縁膜の表面に形成された電気熱変換素子と、少なくとも前記第２の層間絶縁膜を貫通し、前記電気熱変換素子と前記配線層のうちの電気熱変換素子用の配線とを電気的に接続する第２の電気接続部材とを有することを特徴とする素子基板を備える。
【発明の効果】
【００１４】
従って本発明によれば、電気熱変換素子と温度検知素子との間の層間絶縁膜を薄く形成することができ、温度検知の感度が向上するという効果がある。これにより、例えば、素子基板を組み込んだインクジェット記録ヘッドのインク吐出状態の判定精度が向上する。
【図面の簡単な説明】
【００１５】
【図１】本発明の代表的な実施例である記録ヘッドを備えた記録装置の概略構成を示す斜視図である。
【図２】図１に示した記録装置の制御構成を示すブロック図である。
【図３】素子基板のレイアウト図である。
【図４】記録素子と温度検知素子と配線とが多層構造で形成される素子基板を示す図である。
【図５】温度検知素子の温度応答を熱伝導計算した温度波形を示す図である。
【図６Ａ】、
【図６Ｂ】多層構造の素子基板の製造方法を示す図である。
【図７】フルライン記録ヘッドを示す斜視図である。
【発明を実施するための形態】
【００１６】
以下添付図面を参照して本発明の好適な実施例について、さらに具体的かつ詳細に説明する。
【００１７】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１９】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２０】
またさらに、「ノズル」（「記録素子」と言う場合もある）とは、特にことわらない限り吐出口ないしこれに連通する液路およびインク吐出に利用されるエネルギーを発生する素子を総括して言うものとする。
【００２１】
以下に用いる記録ヘッド用の素子基板（ヘッド基板）とは、シリコン半導体からなる単なる基体を指し示すものではなく、各素子や配線等が設けられた構成を差し示すものである。
【００２２】
さらに、基板上とは、単に素子基板の上を指し示すだけでなく、素子基板の表面、表面近傍の素子基板内部側をも示すものである。また、本発明でいう「作り込み（built-in）」とは、別体の各素子を単に基体表面上に別体として配置することを指し示している言葉ではなく、各素子を半導体回路の製造工程等によって素子板上に一体的に形成、製造することを示すものである。
【００２３】
＜記録装置の概要説明（図１〜図２）＞
図１は本発明の代表的な実施例であるインクジェット記録ヘッド（以下、記録ヘッド）を用いて記録を行なう記録装置の構成の概要を示す外観斜視図である。
【００２４】
図１に示すようにインクジェット記録装置（以下、記録装置）１はインクジェット方式に従ってインクを吐出して記録を行なうインクジェット記録ヘッド（以下、記録ヘッド）３をキャリッジ２に搭載し、キャリッジ２を矢印Ａ方向に往復移動させて記録を行う。記録紙などの記録媒体Ｐを給紙機構５を介して給紙し、記録位置まで搬送し、その記録位置において記録ヘッド３から記録媒体Ｐにインクを吐出することで記録を行なう。
【００２５】
記録装置１のキャリッジ２には記録ヘッド３を搭載するのみならず、記録ヘッド３に供給するインクを貯留するインクタンク６を装着する。インクタンク６はキャリッジ２に対して着脱自在になっている。
【００２６】
図１に示した記録装置１はカラー記録が可能であり、そのためにキャリッジ２にはマゼンタ（Ｍ）、シアン（Ｃ）、イエロ（Ｙ）、ブラック（Ｋ）のインクを夫々、収容した４つのインクカートリッジを搭載している。これら４つのインクカートリッジは夫々独立に着脱可能である。
【００２７】
この実施例の記録ヘッド３は、熱エネルギーを利用してインクを吐出するインクジェット方式を採用している。このため、電気熱変換素子（ヒータ）を備えている。この電気熱変換素子は各吐出口のそれぞれに対応して設けられ、記録信号に応じて対応する電気熱変換素子にパルス電圧を印加することによって対応する吐出口からインクを吐出する。なお、記録装置は、上述したシリアルタイプの記録装置に限定するものではなく、記録媒体の幅方向に吐出口を配列した記録ヘッド（ラインヘッド）を記録媒体の搬送方向に配置するいわゆるフルラインタイプの記録装置にも適用できる。
【００２８】
図２は図１に示した記録装置の制御構成を示すブロック図である。
【００２９】
図２に示すように、コントローラ６００は、ＭＰＵ６０１、ＲＯＭ６０２、特殊用途集積回路（ＡＳＩＣ）６０３、ＲＡＭ６０４、システムバス６０５、Ａ／Ｄ変換器６０６などで構成される。ここで、ＲＯＭ６０２は後述する制御シーケンスに対応したプログラム、所要のテーブル、その他の固定データを格納する。ＡＳＩＣ６０３は、キャリッジモータＭ１の制御、搬送モータＭ２の制御、及び、記録ヘッド３の制御のための制御信号を生成する。ＲＡＭ６０４は、画像データの展開領域やプログラム実行のための作業用領域等として用いられる。システムバス６０５は、ＭＰＵ６０１、ＡＳＩＣ６０３、ＲＡＭ６０４を相互に接続してデータの授受を行う。Ａ／Ｄ変換器６０６は以下に説明するセンサ群からのアナログ信号を入力してＡ／Ｄ変換し、デジタル信号をＭＰＵ６０１に供給する。
【００３０】
また、図２において、６１０は画像データの供給源となる図１に示したホストやＭＦＰに対応するホスト装置である。ホスト装置６１０と記録装置１との間ではインタフェース（Ｉ／Ｆ）６１１を介して画像データ、コマンド、ステータス等をパケット通信により送受信する。このパケット通信については後で説明する。なお、インタフェース６１１としてＵＳＢインタフェースをネットワークインタフェースとは別にさらに備え、ホストからシリアル転送されるビットデータやラスタデータを受信できるようにしても良い。
【００３１】
さらに、６２０はスイッチ群であり、電源スイッチ６２１、プリントスイッチ６２２、回復スイッチ６２３などから構成される。
【００３２】
６３０は装置状態を検出するためのセンサ群であり、位置センサ６３１、温度センサ６３２等から構成される。
【００３３】
さらに、６４０はキャリッジ２を矢印Ａ方向に往復走査させるためのキャリッジモータＭ１を駆動させるキャリッジモータドライバ、６４２は記録媒体Ｐを搬送するための搬送モータＭ２を駆動させる搬送モータドライバである。
【００３４】
ＡＳＩＣ６０３は、記録ヘッド３による記録走査の際に、ＲＡＭ６０４の記憶領域に直接アクセスしながら記録ヘッドに対して発熱素子（インク吐出用のヒータ）を駆動するためのデータを転送する。加えて、この記録装置には、ユーザインタフェースとしてＬＣＤやＬＥＤで構成される表示部が備えられている。
【００３５】
次に、上記構成の記録装置に搭載する記録ヘッドに実装される素子基板の実施例を説明する。
【００３６】
＜素子基板の説明（図３〜図４）＞
図３は素子基板のレイアウトを示す図である。
【００３７】
図３において、（ａ）は直角でない角（鈍角と鋭角）を備える平行四辺形形状の素子基板４０１の全体的なレイアウトを模式的に示す図であり、（ｂ）は素子基板４０１のａ−ａ’線に沿う断面図である。
【００３８】
以下、基板４０２の各層の構成を説明するにあたり、ノズルプレート４０３が設けられる側の面を表面、その反対側の裏面として記載する。また、基板４０２における積層方向において、ノズルプレート４０３が設けられる側を上、反対側を下として記載する。
【００３９】
図３（ａ）に示すように、基板４０２上に形成されたノズルプレート４０３には、予め定められた間隔で設けられた複数の吐出口４０８を配列したノズル列４０４が複数配列されている。そして、各吐出口に対応するように基板４０２に記録素子と温度検知素子が作り込まれて配置されている。ここでは、ノズル列４０４が４列配置した例が図示されている。基板４０２の周縁部には、外部配線と接続する電極端子４０５が設けられている。
【００４０】
図３（ｂ）に示すように、記録素子１０９とその直下に設けられる温度検知素子１０６が一対を成して独立供給口４０６の間の梁部に配置される。ノズルプレート４０３には、記録素子１０９に対応するようにインク流路の独立供給口４０６と連通した圧力室４０７と吐出口４０８が形成される。記録素子１０９が通電すると発熱してインクを加熱するとインクが圧力室で発泡する。そして、その発泡によりインク液滴が吐出口４０８から吐出される。なお、記録素子１０９の両側に設けられた独立供給口４０６のうちの一方を排出口として、供給口から記録素子１０９を通って排出口へインクを流すようにインクを循環させる構成であってもよい。
【００４１】
図４は基板に形成された記録素子を含むその近傍の多層構造１０１を示す図である。
【００４２】
図４（ａ）は温度検知素子１０６を記録素子１０９の直下の層に層間絶縁膜１０７を介してシート状に配置した様子を示す上面図である。図４（ｂ）は図４（ａ）における破線ｘ−ｘ’に沿った断面図であり、図４（ｃ）は図４（ａ）における破線ｘ−ｘ’とは直交する破線ｙ−ｙ’に沿った断面図である。なお、温度検知素子１０６と記録素子１０９とは積層方向（シリコン基体の表面に直交する方向）から見て互いに少なくとも一部が重なるように配置されていればよい。
【００４３】
図４（ｂ）と図４（ｃ）において、シリコン基体１００上に積層した絶縁膜１０２の上にアルミニウム等からなる配線１０３が形成され、さらに配線１０３の上に層間絶縁膜１０４が形成される。層間絶縁膜１０４の表面は平坦化されている。配線１０３と、チタン、および窒化チタン積層膜等からなる薄膜抵抗体の温度検知素子１０６とが層間絶縁膜１０４に埋め込まれたタングステン等からなる導電プラグ（電気接続部材）１０５を介して電気的に接続される。また、温度検知素子１０６を覆うように温度検知素子１０６と記録素子１０９との絶縁を確保するための層間絶縁膜１０７が形成される。このような構成とすることで、温度検知素子１０６を被覆する層間絶縁膜１０７は、数１０ｎｍ程度の薄膜である温度検知素子１０６と記録素子１０９との絶縁を確保すればよいので、層間絶縁膜１０７を薄くすることができる。なお、層間絶縁膜１０７の厚みｔ２は、記録素子１０９を駆動するための電流が流れるために十分な厚さとされた配線層１０３を覆う層間絶縁膜１０４の厚みｔ３（配線層１０３がない部分の厚み）よりも薄くすることができる。
【００４４】
そして、配線１０３と、タンタル窒化珪素膜等からなる電気熱変換素子（ヒータ）として作用する記録素子１０９とが、層間絶縁膜１０４と層間絶縁膜１０７とを貫通するタングステン等からなる導電プラグ（電気接続部材）１０８を介して電気的に接続される。
【００４５】
なお、導電プラグ１０８の代わりに、層間絶縁膜１０４を貫通する導電プラグとこれとは別の工程で形成した層間絶縁膜１０７を貫通する導電プラグとを、中間の配線層からなるスペーサを介して接続して構成された電気接続部材を用いてもよい。このように下層の導電プラグと上層の導電プラグを接続する際は、中間の配線層からなるスペーサを挟んで接続されるのが一般的である。しかしながら、この実施例に適用する場合、中間の配線層となる温度検知素子の膜厚が数１０ｎｍ程度の薄膜のため、ビアホール形成の際、スペーサとなる温度検知素子膜に対するオーバエッチ制御の精度が求められる。また、温度検知素子層のパターンの微細化に不利にもなる。
【００４６】
このような事情を鑑み、この実施例のように層間絶縁膜１０４と層間絶縁膜１０７とを貫通させた導電プラグ１０８を採用することが好ましい。
【００４７】
なお、配線１０３は、温度検知素子１０６に接続される温度検知素子用の配線１０３ａと、記録素子１０９に接続される記録素子用の配線１０３ｂ（電気熱変換素子用の配線）と、を含んでいる。これらの配線１０３ａと配線１０３ｂとは電気的に独立している。この実施例では、同じ層として構成された配線１０３からそれぞれの配線１０３ａ、配線１０３ｂが形成されているが、積層方向において異なる層として形成された配線層からそれぞれの配線を形成してもよい。
【００４８】
次に、シリコン窒化膜などの保護膜（被覆膜）１１０、そして保護膜１１０の上にタンタルやイリジウム、これらの積層膜などを含む耐キャビテーション膜１１１を形成して素子基板４０２となる。さらに、感光樹脂等からなるノズル形成部材１１２で吐出口１１３が形成される。
【００４９】
なお、この実施例では、上述のように記録素子１０９と下層に配置された厚膜の配線１０３とを導電プラグ１０８を介して接続している。また、層間絶縁膜１０７の表面は平坦化されている。このため、厚膜の配線１０３に起因する段差が素子基板の表面側に生じていないため、記録素子１０９を覆う保護膜１１０を薄く形成してもカバレッジを確保することができる。そのため、保護膜１１０を薄く形成して温度検知素子１０６からインクとの界面までの距離を短くすることができ、インクとの界面である耐キャビテーション膜１１１の表面の温度状態を検知する感度を高めることができる。
【００５０】
このように、この実施例の素子基板は、配線１０３の層（以下、配線層１０３）と記録素子１０９の層の中間に独立した温度検知素子１０６の中間層を設けた多層構造１０１となっている。なお、温度検知素子１０６よりも下側に、配線層１０３が埋め込まれた層間絶縁膜１０４が複数積層されていてもよい。この場合、異なる層間絶縁膜に埋め込まれた複数の配線層同士をプラグを介して接続すればよい。
【００５１】
なお、ノズル形成部材１１２は図３におけるノズルプレート４０３に対応している。
【００５２】
図４（ａ）に示されるように、記録素子１０９と配線層１０３を接続する導電プラグ１０８は複数、記録素子１０９の左右の縁部にそって設けられる。一方、温度検知素子１０６と配線層１０３を接続する導電プラグ１０５は複数、温度検知素子１０６の上下の縁部にそって設けられる。このように、導電プラグ１０８と導電プラグ１０５とが設けられる位置は異なっており、複数の導電プラグ１０８が配列する方向と複数の導電プラグ１０５が配列する方向とは互いに交差する（この実施例では直交する）ようになっている。
【００５３】
このような導電プラグの配列により、素子基板を上面から見ると温度検知素子膜と記録素子膜とが重畳する領域は広くなり、記録素子の温度変化により伝導する熱を温度検知素子膜がより効率的に検知でき、その結果、より感度の高い温度検知が実現される。加えて、記録素子１０９と配線層１０３との電気接続を行う導電プラグ１０８と、温度検知素子１０６と配線層１０３との電気接続を行う導電プラグ１０５の配置位置を異ならせるとともに、温度検知素子膜と記録素子膜とが重畳する領域以外に配置している。このような配置により、温度検知素子の感度向上に加え、素子基板の平面領域の有効利用を図り、素子基板４０１のサイズの大型化を抑制している。
【００５４】
なお、温度検知素子１０６に接続される導電プラグ１０５は、温度検知素子１０６に電流を流すために、少なくとも一対の導電プラグ１０５が設けられていればよい。また、記録素子１０９に接続される導電プラグ１０８は、記録素子１０９に電流を流すために、少なくとも一対の導電プラグ１０８が設けられていればよい。この少なくとも一対の導電プラグ１０８のうちの一方は、図４（ａ）の左右方向（第１の方向）における記録素子１０９の一端部に接続され、少なくとも一対の導電プラグ１０８のうちの他方は他端部に接続されている。また、少なくとも一対の導電プラグ１０５は、図４（ａ）の上下方向（第２の方向）に離れて配置されている。
【００５５】
なお、この実施例は、図４（ａ）のように、温度検知素子１０６の一縁部に複数の導電プラグ１０５が配列された構成であるが、この配列方向に延びた形状である１つの導電プラグを設けた構成でもよい。また、記録素子１０９に接続される導電プラグ１０８も同様の構成としてもよい。
【００５６】
次に、この実施例の多層構造にあたり配慮した熱伝導について説明する。
【００５７】
多層構造に形成された電気熱変換素子（ヒータ）を記録素子として用いる際には、熱を効率的にインクに加えるために記録素子とシリコン基体の間にはある程度熱伝導性が低い蓄熱層が存在することが好ましい。一方、記録素子の高速駆動のためには、余剰の熱をすばやく拡散して不必要なインク沸騰現象が生じないようにある程度の熱伝導性も求められる。
【００５８】
この実施例では、記録素子１０９の直下に配置された層間絶縁膜１０４は厚さｔ１の蓄熱層として機能し、記録素子１０９の直下に配置された層間絶縁膜１０７は厚さｔ２の蓄熱層として機能する。また、図４（ｂ）、（ｃ）に示すように、記録素子１０９の直下には放熱用の金属層１１５が設けられている。また、金属層１１５の裏面と接し、シリコン基体１００の表面へ向かって延在する、シリコン基体１００に熱伝導させるための放熱用のプラグ１１４が設けられている。これらの金属層１１５とプラグ１１４とが記録素子１０９からの放熱経路を構成している。放熱用の金属層１１５は、積層方向から見て記録素子１０９及び温度検知素子１０６の少なくとも一部と重なる位置に配置されており、記録素子１０９と同様の形状となっている。配線１０３の一部分でもある金属層１１５は、上述の配線１０３ａや配線１０３ｂとは電気的に独立されている。
【００５９】
なお、厚さｔ１は、層間絶縁膜１０４のうちの金属層１１５の上に位置する部位の厚みである。また、厚さｔ２は、層間絶縁膜１０７のうちの温度検知素子１０６の上に位置する部位の厚みである。このような放熱経路を備えて適切な蓄熱と放熱の特性を備えた構成にしている。
【００６０】
次に、温度検知素子１０６の層を記録素子１０９と放熱配線１１５の中間に設けるにあたっての要件を挙げる。
【００６１】
厚さｔ２の層間絶縁膜１０７は、温度検知素子１０６と記録素子１０９とを確実に絶縁すること、さらに温度検知素子１０６の放熱要素としてのはたらきの影響を抑えること、これらを満足する範囲で設定しなければならない。このため、層間絶縁膜１０７の厚さｔ２は０．２μｍ以上であることが好ましい。一方で、温度検知素子１０６の感度を向上するためには、層間絶縁膜１０７の厚さｔ２は０．５μｍ以下であることが好ましい。即ち、層間絶縁膜１０７の厚さｔ２＝０．２μｍ以上０．５μｍ以下であることが好ましい。
【００６２】
蓄熱の観点から、層間絶縁膜１０４と層間絶縁膜１０７の蓄熱層としての厚みの合計ｔ１＋ｔ２は、所定の厚みが必要となる。また、配線層１０３を確実にカバレッジするために、通常、厚みｔ１が配線層１０３の厚み以上となるように層間絶縁膜１０４を形成する。ここで、配線層１０３は記録素子１０９の駆動する電源またはＧＮＤの配線であるため、大電流が流れる。そのため、低抵抗化と所定の電流密度以下を満足させるために、配線層１０３は数μｍ程度（例えば１μｍ）の十分な厚さが必要とされる。なお、配線層１０３と同じ工程で形成する金属層１１５も配線層１０３と同等の厚さで形成される。
【００６３】
即ち、十分な厚さを備える配線層１０３のカバレッジのためにｔ１を厚くしつつ、蓄熱層としての厚みの合計ｔ１＋ｔ２を所定の厚みとすることが求められる。一方で、層間絶縁膜１０７は、絶縁性と放熱影響の要件を満足させながら、できるだけ温度変化に対する感度を得ることが求められる。これらの要件を満足させるために、この実施例のように、厚さｔ１とｔ２の配分をｔ１＞ｔ２とすることが好ましい。
【００６４】
また、図４（ａ）に示すように、温度検知素子１０６の導電プラグ１０５は、記録素子１０９からの放熱を抑えるために記録素子１０９と交差しない領域に設けている。即ち、温度検知素子１０６の導電プラグ１０５は、積層方向から見て記録素子１０９と重ならない領域に設けている。さらに、交差しない領域に導電プラグ１０５を設けることで、記録素子直下の面積全体で温度が検知され、できるだけダイナミックレンジの大きな検知信号を得るうえで有利にもなる。
【００６５】
図４（ｄ）と図４（ｅ）は、この実施例に従う多層構造に適応した温度検知素子の別な形状を示す図である。
【００６６】
図４（ｄ）と図４（ｅ）に示すように、温度検知素子１１６の形状は複数の折り返しがある蛇行形状となっている。図４（ｄ）に示す温度検知素子１１６の平面形状は、ｙ方向（即ち、図４Ｄの上下方向）に折り返した形状であり、図４（ｅ）に示す温度検知素子１１６の平面形状は、ｘ方向（即ち、図４Ｅの左右方向）に折り返した形状である。このような形状は、抵抗値を増加させ、より大きい検知電圧を発生させる場合に有効な形状である。
【００６７】
＜熱伝導特性（図５）＞
図５は層間絶縁膜１０７が厚さｔ２である場合の温度検知素子１０６の温度応答を熱伝導計算した結果を示す図である。
【００６８】
この計算条件は次の通りである。
【００６９】
層間絶縁膜１０７の厚さ（ｔ２）：
ｔ２＝０．４μｍ、ｔ２＝０．９μｍ
熱源となる記録素子１０９のサイズ：
幅１５．６μｍ×長さ２３．６μｍ×厚さ２０ｎｍ
発熱量：４．８×１０16ｗ／ｍ3
発熱時間：０．７μ秒
初期温度：常温。
【００７０】
図５において、波形２０１は記録素子１０９の温度変化、波形２０２は耐キャビテーション膜１１１の温度変化、波形２０３はｔ２＝０．４μｍの層間絶縁膜１０７の温度変化、波形２０４はｔ２＝０．９μｍの層間絶縁膜１０７の温度変化である。波形２０３と波形２０４との比較から、厚さｔ２＝０．９μｍの層間絶縁膜の温度変化に対し、この実施例に従う厚さｔ２＝０．４μｍの層間絶縁膜の温度変化は、ピーク温度では約１００℃高くなることが分かる。また、層間絶縁膜１０７の厚さｔ２を０．４μｍ以下とすることが特に好ましいことがわかる。
【００７１】
このように記録素子１０９と温度検知素子１０６との間の層間絶縁膜１０７を薄くすることにより、減衰が抑えられた高速で先鋭な温度波形が得られ、耐キャビテーション膜１１１界面の温度状態を検知する感度が向上する。
【００７２】
＜素子基板の製造工程（図６Ａ〜図６Ｂ）＞
図６Ａ〜図６Ｂは、図４（ｂ）に示すｘ−ｘ’断面図と図４（ｃ）に示すｙ−ｙ’断面図に対応させた多層構造１０１の製造工程の流れを示す図である。図６Ａ〜図６Ｂは（ａ）から（ｎ）までの１４の工程を示しており、（ａ）から（ｎ）の方向に時間が流れる。また、図６Ａ〜図６Ｂにおいて、左側は図４（ｂ）に示すｘ−ｘ’断面に対応した図であり、右側は図４（ｃ）に示すｙ−ｙ’断面図に対応した図である。
【００７３】
・（ａ）工程（第１の層間絶縁膜の形成と平坦化）
シリコン基体上に積層した絶縁膜３０１の上に、配線層３０２をパターニングするためのエッチングマスクをフォトリソグラフィにより配線層３０２の上に形成する。具体的には、マスクとなるポジ型感光性レジスト材料を基板上にスピン塗布し、配線パターンが描画されたフォトマスクを介して露光を行い、現像することで配線層上にレジストパターンを形成する。
【００７４】
続いて、レジストパターンでマスクされていない領域の配線層３０２を、ドライエッチングにより除去することで配線パターンを形成する。その際、反応性イオンエッチングにより金属膜を異方性エッチングした後、フォトレジストをプラズマアッシング除去する。配線層３０２から配線パターンを形成する際には、温度検知素子３０８に接続される温度検知素子用の配線と記録素子３１４に接続される記録素子用の配線とが電気的に独立するように形成する。また、配線層３０２から上述した放熱用の金属層１１５も形成する。これにより製造工程の負荷を抑えることができる。
【００７５】
続いて、プラズマＣＶＤ法により、層間絶縁膜３０３としてシリコン酸化膜を配線層３０２の上に成膜する。その際、配線間の微細な隙間にも空隙なくシリコン酸化膜を埋め込むためにバイアススパッタの要素を重畳させたＨＤＰ（Ｈｉｇｈ  Ｄｅｎｓｉｔｙ  Ｐｌａｓｍａ）酸化膜も下層部に併用してシリコン酸化膜からなる層間絶縁膜３０３を成膜する。
【００７６】
続いて、ＣＭＰ（Ｃｈｅｍｉｃａｌ  Ｍｅｃｈａｎｉｃａｌ  Ｐｏｌｉｓｈｉｎｇ）によりシリコン酸化膜を研磨することにより層間絶縁膜３０３の上面を平坦化する。
【００７７】
・（ｂ）工程 （ビアホールの形成）
層間絶縁膜３０３に導電プラグを形成するビアホールを、先に述べたフォトリソグラフィと同様のプロセスにより、ビアホール部がマスク開口したレジストパターンを形成する。続いて、誘導結合型プラズマ（Ｉｎｄｕｃｔｉｖｅｌｙ  Ｃｏｕｐｌｅｄ  Ｐｌａｓｍａ）リアクティブイオンエッチングによりビアホール３０４を開口する。これにより、ビアホール３０４から温度検知素子用の配線層３０２の表面の一部を露出させる。また、エッチングマスクとして使用したレジストはプラズマアッシングを行って除去する。
【００７８】
・（ｃ）工程（第１のバリアメタルの形成）
コンタクトメタル、拡散防止膜としてチタン、および窒化チタン積層膜からなるバリアメタル３０５をスパッタリング成膜により形成する。
【００７９】
・（ｄ）工程（第１のタングステン膜の成膜）
減圧ＣＶＤ成膜により、導電プラグ材料としてタングステン膜３０６をビアホール内が十分に埋まる膜厚で成膜する。
【００８０】
・（ｅ）工程（第１の研磨）
ＣＭＰ法により、ビアホール内の導電プラグ３０７のみを残しつつ、層間絶縁膜３０３上のバリアメタル３０５とタングステン膜３０６を残差なく除去するよう研磨し、層間絶縁膜３０３の表面を平坦化する。
【００８１】
なお、この工程はエッチバック法を用いて導電プラグ材料とバリアメタルを除去する方法もある。
【００８２】
・（ｆ）工程（温度検知素子の形成）
この実施例の温度検知素子として用いるチタン、および窒化チタン積層膜をスパッタリング成膜する。続いて、フォトリソグラフィでレジストマスクを成してドライエッチングにより温度検知素子３０８を形成する。
【００８３】
・（ｇ）工程（第２の層間絶縁膜の形成と平坦化）
プラズマＣＶＤ法によりシリコン酸化膜からなる層間絶縁膜３０９を温度検知素子３０８の上に成膜する。そして、ＣＭＰによりシリコン酸化膜を研磨して層間絶縁膜３０９の上面を平坦化する。
【００８４】
・（ｈ）工程（ビアホールの形成）
層間絶縁膜３０３と層間絶縁膜３０９を貫通するビアホールを、先に述べたフォトリソグラフィと同様のプロセスで、ビアホール部がマスク開口したレジストパターンを形成する。続いて、誘導結合型プラズマリアクティブイオンエッチングにより、ビアホール３１０を開口する。これにより、ビアホール３１０から電気熱変換素子用の配線層３０２の表面の一部を露出させる。なお、エッチングマスクとして使用したレジストはプラズマアッシングを行って除去する。
【００８５】
・（ｉ）工程（第２のバリアメタルの形成）
コンタクトメタル、拡散防止膜としてチタン、および窒化チタン積層膜からなるバリアメタル３１１をスパッタリング成膜により形成する。
【００８６】
・（ｊ）工程（第２のタングステン膜の成膜）
減圧ＣＶＤ成膜により、導電プラグ材料としてタングステン膜３１２をビアホール内が十分に埋まる膜厚で成膜する。
【００８７】
・（ｋ）工程（第２の研磨）
ＣＭＰ法により、ビアホール内の導電プラグ３１３のみを残しつつ、層間絶縁膜３０９上のバリアメタル３１１とタングステン膜３１２を残差なく除去するよう研磨し、層間絶縁膜３０９の表面を平坦化する。なお、この工程はエッチバック法を用いて導電プラグ材料とバリアメタルを除去する方法もある。
【００８８】
・（ｌ）工程 （記録素子の形成）
記録素子として用いるタンタル窒化珪素膜等からなる電気熱変換素子（ヒータ）となる記録素子の膜をスパッタリング成膜する。そして、フォトリソグラフィでレジストマスクを成してドライエッチングにより記録素子３１４を形成する。
【００８９】
・（ｍ）工程（素子基板の形成）
シリコン窒化膜などのパッシベーション膜（保護膜）３１５、タンタルなどの耐キャビテーション膜３１６を形成して素子基板となる。
【００９０】
・（ｎ）工程（吐出口の形成）
ノズル形成部材３１７に感光性樹脂を使用し、フォトリソグラフィ技術を用いて吐出口を形成する。
【００９１】
従って以上説明した実施例に従えば、記録素子と温度検知素子との間の層間絶縁膜を薄く形成することができるので、温度検知素子の温度変化特性が記録素子の温度変化に良好に追従した特性となり、温度検知の感度が向上する。これにより、インク吐出状態の判定精度をより向上させることが可能となる。
【００９２】
なお、図７に示すように、複数の素子基板４０１を配置してフルライン記録ヘッド３を構成する場合、ヒータ列方向と同じ方向に複数の素子基板を配置したりすることができる。
【符号の説明】
【００９３】
１０１  多層構造、１０２  絶縁膜、１０３  配線、１０４  層間絶縁膜、
１０５  導電プラグ、１０６  温度検知素子、１０７  層間絶縁膜、
１０８  導電プラグ、１０９  記録素子、１１０  保護膜、
１１１  耐キャビテーション膜、１１２  ノズル形成材、１１３  吐出口
【図１】
2019072999.tif 000003
【図２】
2019072999.tif 000004
【図３】
2019072999.tif 000005
【図４】
2019072999.tif 000006
【図５】
2019072999.tif 000007
【図６Ａ】
2019072999.tif 000008
【図６Ｂ】
2019072999.tif 000009
【図７】
2019072999.tif 000010